(57)【特許請求の範囲】
【請求項１】
移動端末（１０）とセルラ通信ネットワーク（１００）のアクセスノード（２０）との間のシングルユーザ空間多重化で使用される基準信号を生成する方法であって、前記方法は、
アップリンクスケジューリング許可メッセージを介して受信した信号により示された送信ランクに基づいて、夫々が複数の循環シフトセットを含む複数の循環シフトセットのグループから循環シフトセットのグループを選択する（３０４，４０４）工程と、
前記移動端末（１０）により循環シフトセットインジケータを受信する（３０６，４０６）工程と、
前記受信した循環シフトセットインジケータに基づいて、前記選択された循環シフトセットのグループから、それぞれが少なくとも１つのパラメータを含む循環シフトセットを選択する（３０８，４０８）工程と、
前記選択された循環シフトセットの少なくとも１つのパラメータに基づいて、同時送信するシングルユーザ空間多重化送信方式の１つ以上のレイヤに対する少なくとも１つの直交基準信号を生成する工程とを有し、
前記パラメータ各々は循環シフトを示し、
異なる循環シフトセットのグループの前記複数の循環シフトセットは、異なる数のパラメータを含むことを特徴とする方法。
【請求項２】
前記移動端末（１０）により、前記移動端末（１０）のメモリより前記送信ランクを取得する工程をさらに有し、
前記送信ランクは前記移動端末（１０）に構成設定されることを特徴とする請求項１に記載の方法。
【請求項３】
前記循環シフトセットインジケータ（ｉ）は、ｉ≧３ビット、ｉ∈Ｎであることを特徴とする請求項１又は２に記載の方法。
【請求項４】
前記送信ランク（ｍ）は、ｍ≧１、ｍ∈Ｎであり、
前記移動端末（１０）の構成されたアンテナ（１１０，１１２）の数（ｎ）は、ｎ≧２、ｎ∈Ｎであることを特徴とする請求項１又は２に記載の方法。
【請求項５】
１つの循環シフトセットのグループの前記複数の循環シフトセットの各々は、同じ数のパラメータを含むことを特徴とする請求項１又は２又は４に記載の方法。
【請求項６】
前記循環シフトセットのグループを選択する工程は、前記選択されたグループの循環シフトセットの各々に含まれるパラメータの数が、前記決定された送信ランクと前記移動端末（１０）の構成されたアンテナ（１１０，１１２）の数との内の少なくとも１つに等しいように前記グループを選択する工程を有することを特徴とする請求項５に記載の方法。
【請求項７】
前記選択された循環シフトセットにおける第ｋ番目の位置にあるパラメータは、第ｋ番目のレイヤを送信するための前記移動端末（１０）と前記アクセスノード（２０）との間の伝播チャネルを推定するために用いられる前記基準信号を生成するために用いられることを特徴とする請求項１乃至６のいずれか１項に記載の方法。
【請求項８】
移動端末（１０）とセルラ通信ネットワーク（１００）のアクセスノード（２０）との間のシングルユーザ空間多重化で使用される基準信号の生成を制御する方法であって、前記方法は、
前記アクセスノード（２０）から前記移動端末（１０）にアップリンクスケジューリング許可メッセージの信号により示される送信ランクを送信して、前記送信ランクに基づいて、前記移動端末（１０）が複数の循環シフトセットグループから循環シフトセットグループを選択することを可能にする工程と、
前記アクセスノード（２０）から前記移動端末（１０）に、前記選択された循環シフトセットグループの循環シフトセットを示す循環シフトセットインジケータを送信する工程とを有し、
前記循環シフトセットは、少なくとも１つのパラメータを含み、
前記パラメータ各々は、前記基準信号の生成に使用される循環シフトを示し、
異なる循環シフトセットグループの前記複数の循環シフトセットは、異なる数のパラメータを含むことを特徴とする方法。
【請求項９】
請求項１乃至８のいずれか１項に記載の工程を実行するプログラムコード部を有し、コンピュータシステムにおいて実行されることを特徴とするコンピュータプログラム。
【請求項１０】
コンピュータ可読格納媒体に格納されることを特徴とする請求項９に記載のコンピュータプログラム。
【請求項１１】
移動端末（１０）とセルラ通信ネットワーク（１００）のアクセスノード（２０）との間のシングルユーザ空間多重化で使用される基準信号を生成する装置であって、前記装置は、
アップリンクスケジューリング許可メッセージを介して受信した信号により示される送信ランクに基づいて、それぞれが複数の循環シフトセットを含む複数の循環シフトセットのグループから循環シフトセットのグループを選択するよう適合された第２のセレクタ（１０６）と、
循環シフトセットインジケータを受信するよう適合された受信部（１０２）と、
前記受信した循環シフトセットインジケータに基づいて、前記選択された循環シフトセットのグループから、それぞれが少なくとも１つのパラメータを含む循環シフトセットを選択するよう適合された第１のセレクタ（１０４）と、
前記選択された循環シフトセットの少なくとも１つのパラメータに基づいて、同時送信するシングルユーザ空間多重化送信方式の１つ以上のレイヤに対する少なくとも１つの直交基準信号を生成するよう適合された生成部（１０８）とを有し、
前記パラメータ各々は循環シフトを示し、
異なる循環シフトセットのグループの前記複数の循環シフトセットは、異なる数のパラメータを含むことを特徴とする装置。
【請求項１２】
前記装置はさらに前記移動端末（１０）のメモリより前記送信ランクを取得するよう適合されており、
前記送信ランクは前記移動端末（１０）に構成設定されることを特徴とする請求項１１に記載の装置。
【請求項１３】
前記循環シフトセットインジケータ（ｉ）は、ｉ≧３ビット、ｉ∈Ｎであることを特徴とする請求項１１又は１２に記載の装置。
【請求項１４】
前記送信ランク（ｍ）は、ｍ≧１、ｍ∈Ｎであり、
前記移動端末（１０）の構成されたアンテナ（１１０，１１２）の数（ｎ）は、ｎ≧２、ｎ∈Ｎであることを特徴とする請求項１１又は１２に記載の装置。
【請求項１５】
１つの循環シフトセットのグループの前記複数の循環シフトセットの各々は、同じ数のパラメータを含むことを特徴とする請求項１１又は１２又は１４に記載の装置。
【請求項１６】
前記第２のセレクタ（１０６）はさらに、循環シフトセットのグループを選択する（３０４，４０４）際に、前記選択されたグループの循環シフトセットの各々に含まれるパラメータの数が、前記決定された送信ランクと前記移動端末（１０）の構成されたアンテナ（１１０，１１２）の数との内の少なくとも１つに等しいように前記グループを選択するよう適合されることを特徴とする請求項１５に記載の装置。
【請求項１７】
前記選択された循環シフトセットにおける第ｋ番目の位置にあるパラメータは、第ｋ番目のレイヤを送信するための前記移動端末（１０）と前記アクセスノード（２０）との間の伝播チャネルを推定するために用いられる前記基準信号を生成するために用いられることを特徴とする請求項１１乃至１６のいずれか１項に記載の装置。
【請求項１８】
移動端末（１０）とセルラ通信ネットワーク（１００）のアクセスノード（２０）との間のシングルユーザ空間多重化で使用される基準信号の生成を制御するアクセスノード（２０）であって、
前記アクセスノード（２０）は、
アップリンクスケジューリング許可メッセージの信号により示される送信ランクを前記移動端末（１０）に送信し、前記移動端末（１０）が前記送信ランクに基づいて、複数の循環シフトセットグループから循環シフトセットグループを選択することを可能にするよう適合され、そして、前記選択された循環シフトセットグループの循環シフトセットを示す循環シフトセットインジケータを前記移動端末（１０）に送信するよう適合された送信機（２０２）を有し、
前記循環シフトセットは、少なくとも１つのパラメータを含み、
前記パラメータ各々は、前記基準信号の生成に使用される循環シフトを示し、
異なる循環シフトセットグループの前記複数の循環シフトセットは、異なる数のパラメータを含むことを特徴とするアクセスノード。
【発明の詳細な説明】
【技術分野】
【０００１】
本発明はシングルユーザ空間多重化送信方式の基準信号のシグナリングに関し、特に、本発明は循環シフト基準信号の生成に関する。
【背景技術】
【０００２】
現在のロングタームエボリューション（ＬＴＥ）標準は、シングルアンテナからの一度のアップリンク（ＵＬ）送信を規定するのみである。この枠組みはマルチユーザの多入力多出力（ＭＵ−ＭＩＭＯ）伝送方式または空間領域多元接続、即ち、移動端末の同一時間−周波数リソースにおける複数同時伝送を許容する。端末の観点からは、この伝送モードは標準の単一アンテナＵＬ送信と同じであり、基地局だけが特別な受信機を実装することを求められる。
【０００３】
種々の端末とＭＵ−ＭＩＭＯ伝送方式に使用する基地局との間の伝搬チャネルの推定のために、互いに直交する基準信号が必要である。ＬＴＥ標準では、これら直交基準信号γ(α)（ｎ）は周波数領域において式（１）で示すように規定する。即ち、
（１）γ(α)（ｎ）＝ｅjαｎ×γ（ｎ），
ｎ＝０，１，……ＭRSSC−１
である。ここで、ＭRSSC＝ｍＮRBSCは割り当てサブキャリア数であり、γ（ｎ）はセル固有のベースシーケンスである。
【０００４】
α＝２πｎcs／１２であるので、セル固有のベースシーケンスγ（ｎ）と周波数領域における複素指数関数との乗算は、時間ベースシーケンスのｎcs＊Ｎ／１２サンプルの循環シフトを生じさせる。ここで、Ｎは変調器で使用する離散的逆フーリエ変換（ＩＤＦＴ）のサイズであり、ｎcsは各基準信号の循環シフトを示す循環シフトパラメータである。
【０００５】
αの規定を伴う式（１）は、総計１２の異なる循環シフト（ｎcs＝０、１、．．．、１１）が存在し、それぞれは、互いに直交である異なる基準信号γ(α)（ｎ）を生じさせる。
【０００６】
しかしながら、ＬＴＥ標準では、３ビットのフィールドのみを指定して循環シフトパラメータｎcsと、従ってαとをシグナリングする。３ビットは８つの異なる値の表現にのみ使用できるので、３ビットのフィールドは８つの可能な循環シフト、従って８つの直交基準信号のみをシグナリングできる。
【０００７】
循環シフトパラメータｎcsは式（２）により決定される。即ち、
（２）ｎcs＝（ｎ(1)DMRS＋ｎ(2)DMRS＋ｎPRBS）ｍｏｄ１２
である。ここで、ｎ(1)DMRSとｎPRBSは、セル固有のパラメータであり、ｎ(2)DMRSはＵＬスケジュール認可メッセージの一部としてＵＥにシグナリングされる。図１に示すテーブルは３ビットフィールドでシグナリングされる値に応じたパラメータｎ(2)DMRSの値を示す。例えば、ビットフィールド［０１０］をシグナリングするならば、パラメータｎ(2)DMRSを３に設定するであろう。これに対して、ビットフィールド［１１０］をシグナリングするならば、パラメータｎ(2)DMRSを９に設定するであろう。図１に示すテーブルから分かるように、８つの異なるｎ(2)DMRSの値のみを選択できる。即ち、８つの異なる循環シフトパラメータｎcsの値のみをシグナリングでき、従って、８つの異なる直交基準信号のみを取得することができる。
【０００８】
ＬＴＥ高度化（ＬＴＥ-Ａ）の目標の１つは、５００Ｍｂ／秒のＵＬピークデータ速度である。このデータ速度の達成のためには、ＬＴＥのＵＬ送信方式を拡張し、より広い帯域幅およびシングルユーザＭＩＭＯ（ＳＵ−ＭＩＭＯ）をサポートしなければならない。
【０００９】
ＳＵ−ＭＩＭＯは単一の移動端末において複数の送受信アンテナを使用し、システム性能を改善する。ＳＵ−ＭＩＭＯとは、複数のアンテナを使用し、シングルアンテナを使用するのと比べて、より多くの情報をコヒーレントに分離する技術である。加えて、ＭＩＭＯ技術はマルチパス信号に依存する。マルチパス信号は見通し線（ＬＯＳ）での信号伝送の受信後しばらくして受信機に到着する反射信号である。非ＭＩＭＯベースのネットワークでは、マルチパス信号は信号からメッセージ情報を回復する受信機能力を劣化させる干渉と見做されていた。これに反して、ＳＵ−ＭＩＭＯは種々のマルチパス信号のダイバーシチを使用して、信号からメッセージ情報を回復する受信機能力を増大させる。
【００１０】
上記の如く、ＭＩＭＯ技術が提供する別の能力は複数の送受信アンテナを使用した空間多重化（ＳＭ）である。ＳＭは個々に符号化されたデータ信号、所謂、ストリーム或いはレイヤを複数の送信アンテナそれぞれから、１つの帯域幅スペクトルチャネル内で同時に独立に送信する送信技術である。それ故、空間次元は２度以上再使用され、または多重化される。
【００１１】
ＳＵ−ＭＩＭＯ  ＳＭはプリコーディングを伴っても、または伴わなくとも使用できる。プリコーディングされたＳＵ−ＭＩＭＯ  ＳＭでは、第１のストリームを第１の複数サブストリームに分割し、第２のストリームを第２の複数サブストリームに分割するなどのストリームの分割を行う。第１の複数サブストリームそれぞれ、第２の複数サブストリームそれぞれなどは、次いで複数の送信アンテナの１つにより送信される。要するに、複数ストリームそれぞれを複数サブストリームに細分化し、複数サブストリームそれぞれを複数送信アンテナの１つにより送信する。数学的にいえば、この関係はプリコーディングマトリクスＭと列ベクトルｓによる乗算を示す式（３）により表される。
【００１２】
【数１】
0005526229.tif 000002
【００１３】
マトリクスＭにおいて、行数ａは送信アンテナの数に等しく、列数ｓは送信アンテナにより送信されるストリームの数に等しい。マトリクスＭとベクトルｓの乗算を実行するために、ベクトルｓの行数がマトリクスＭの列数に等しくなければならない。理解できるように、送信アンテナの数はストリームの数以上であるべきことに留意しつつ、送信アンテナの数は任意に選択される。
【００１４】
プリコーディングを行わないＳＵ−ＭＩＭＯでは、１つのストリームはアンテナ毎に送信される。即ち、プリコーディングを行わないＳＵ−ＭＩＭＯの具体例の場合、式（３）は式（４）となる。ここで、１つのストリームがサブストリームに細分化されず、１つの送信アンテナに割り当てられるので、マトリクスＭは対角行列である
【００１５】
【数２】
0005526229.tif 000003
【００１６】
即ち、分解可能な空間データストリームの数が増加するので、ＳＵ−ＭＩＭＯ  ＳＭはデータスループットを大きく増大できる。プリコーディングされたＳＭでは、高速ストリームを複数の低速サブストリームに分割し、各サブストリームを異なる送信アンテナから同一周波数チャネルで同時に送信する。これらの信号が十分異なる空間的特性を伴って受信機のアンテナアレイに着信すれば、受信機はこれらのストリームを分離でき、所与の帯域幅（無線チャネルにより送信される秒当り、Ｈｚ当りのビット数）により送信される情報速度であるスペクトル能率の増大に繋がる。プリコーディングを行わないＳＭでは、各空間ストリームは送信機と受信機の双方に、個別アンテナを必要とする。プリコーディングを行わないＳＭにおけるスペクトル能率は複数の送信アンテナからの同時複数ストリームの送信により増大する。プリコーディングされたＳＭとプリコーディングを行わないＳＭ双方の場合、同時データストリームの数はリンク両側で使用する最小アンテナ数により制限される。
【発明の概要】
【発明が解決しようとする課題】
【００１７】
ＳＭは送信チャネルの知見があっても、或いは、それがなくとも使用できる。送信チャネルの知見を伴いＳＭを使用すべきであれば、基準信号が各送信チャネルを推定するために必要とされる。ＳＭは複数の送受信アンテナを必要とするので、複数の送信チャネルが備えられる。ここで、複数の送信チャネルそれぞれの推定に専用の基準信号が必要とさする。
【００１８】
従って、ＳＵ−ＭＩＭＯの場合、複数の基準信号が移動端末ごとに送信される必要がある。それぞれに必要とされる循環シフトを独立にシグナリングすることは、オーバヘッドをかなり増加させる。さらにその上、以上で検討した従来のＬＴＥシグナリング手法を使用すると、１２の理論的に可能な循環シフトの内、８つだけがシグナリングされるに過ぎない。
【課題を解決するための手段】
【００１９】
シングルユーザ空間多重化において使用される基準信号を効率的に生成する技術の要求がある。
【００２０】
第１の側面から見れば、この要求は、移動端末とセルラ通信ネットワークアクセスノードとの間のシングルユーザ空間多重化で使用される基準信号を生成する方法によって満たされる。この方法は、移動端末により循環シフトセットインジケータを受信する工程と、受信循環シフトセットインジケータに基づきそれぞれが循環シフトを示す少なくとも２つのパラメータを各循環シフトセットが含む循環シフトセットを循環シフトセットグループから選択する工程と、選択する循環シフトセットの少なくとも２つのパラメータに基づき同時送信するシングルユーザ空間多重化送信方式の少なくとも２つのレイヤに対する少なくとも２つの直交基準信号を生成する工程とを有する。
【００２１】
第２の側面から見れば、上記の要求はまた、移動端末とセルラ通信ネットワークアクセスノードとの間のシングルユーザ空間多重化で使用される基準信号を生成する更なる方法によって満たされる。この方法は、送信ランク（同時送信ストリーム数である送信ランク）と移動端末の構成されたアンテナの数との内の少なくとも１つに基づいて、各循環シフトセットグループが複数の循環シフトセットを含む循環シフトセットグループを複数の循環シフトセットグループから選択する工程と、移動端末により循環シフトセットインジケータを受信する工程と、受信循環シフトセットインジケータに基づき選択する循環シフトセットグループからそれぞれが循環シフトを示す少なくとも１つのパラメータを各循環シフトセットが含む循環シフトセットを選択する工程と、選択する循環シフトセットの少なくとも１つのパラメータに基づき同時送信するシングルユーザ空間多重化送信方式の１つ以上のレイヤに対する少なくとも１つの直交基準信号を生成する工程とを有する。
【００２２】
セルラ通信ネットワークは、例えば、ＬＴＥまたはＬＴＥ高度化（ＬＴＥ−Ａ）ネットワークであっても良い。移動端末は、移動電話機、情報携帯端末（ＰＤＡ）、ネットワークカード、或いは、エアインタフェースを介してアクセスノードと通信可能な何らかの他の移動通信装置のような任意の移動通信デバイスであると良い。
【００２３】
アクセスノードはネットワーク側から移動端末と通信可能な任意の種類のネットワーク部であると良い。そのアクセスノードはセルを規定し、セルのセルエリアをカバーし、セルに関連する全ての移動端末にサービスを提供できる。アクセスノードは、例えば、第３世代パートナシッププロジェクト（３ＧＰＰ）のＬＴＥ標準に従って動作する移動通信ネットワークにおいて展開されるｅノードＢまたは基地局であっても良い。
【００２４】
空間多重化の実行のため、移動端末は少なくとも２つのストリームまたはサブストリームを同時送信する少なくとも２つで構成されたアンテナを含む。移動端末により送信するデータ信号は複数の独立ストリーム、即ち、レイヤに符号化できる。
【００２５】
プリコーディングを行わないＳＭでは、これら独立レイヤそれぞれを次いで少なくとも２つで構成された送信アンテナの１つから１つの帯域幅スペクトルチャネル内で同時送信できる。即ち、第１のレイヤを構成された第１の送信アンテナから送信でき、第２のレイヤを構成された第２の送信アンテナから送信できるなどである。即ち、構成された送信アンテナの数はレイヤ数と同じであり、構成された各送信アンテナは単一レイヤの同時送信に使用できる。後者の場合、移動端末の構成されたアンテナの数は移動端末により同時送信するレイヤ数である送信ランクに等しい。プリコーディングを行わないＳＭでは、構成されたアンテナ数は送信ランクとは異なる、例えば、構成されたアンテナ数は送信ランクより多くてもよいとも考えられる。後者の場合、移動端末の構成されたアンテナの全てではなく、サブセットのみが使用されるであろうし、送信に使用する構成されたアンテナ数は送信ランクに等しいであろう。従って、この場合、移動端末の構成されたアンテナの幾つかは送信に使用されないであろう。
【００２６】
プリコーディングされたＳＭでは、独立ストリームそれぞれを複数のサブストリームに細分化でき、それらのサブストリームは次いで構成された複数の送信アンテナから送信される。また、この場合、構成された送信アンテナの数がストリームの数以上であっても良い。例えば、２つの送信アンテナの場合、１つのストリームが２つの送信アンテナからの送信のために２つのサブストリームに細分化される。或いは、２つのストリームは２つの送信アンテナからの送信のために２つのサブストリームにそれぞれ細分化される。４つの送信アンテナの場合、ストリーム数は１、２、３または４であるかもしれず、これらのストリームそれぞれは、４つの送信アンテナから、または、４つの送信アンテナの構成設定されたサブセットから送信のための４つ以下のサブストリームに細分化できる。プリコーディングされたＳＭの使用により、たとえ送信アンテナ数が同時送信ストリーム数を超えても、これらのストリームを複数のサブストリームに細分化できるので、構成された送信アンテナそれぞれが送信のために使用される。ここで、サブストリーム数は構成された送信アンテナ数と同じであって良い。
【００２７】
一つの実施形によれば、第１の側面から見た方法はさらに、各循環シフトセットグループが複数の循環シフトセットを含む循環シフトセットグループを複数の循環シフトセットグループから選択する工程を有していても良い。この実施形によれば、循環シフトセットグループをまず選択し、選択する循環シフトセットを次いで検索し、受信した循環シフトセットインジケータに基づき循環シフトセットを選択する。
【００２８】
この実施形の第１の変形例、または、第２の側面から見た第１の変形例によれば、移動端末の構成されたアンテナの数に基づき循環シフトセットグループを選択できる。移動端末の構成されたアンテナ数は、２、３、４、５、６つ以上であるかもしれず、移動端末には知られていても良い。例えば、構成されたアンテナの数を移動端末のメモリに格納し、これをメモリから取り出し、構成されたアンテナの数に基づいて循環シフトセットグループから特定の循環シフトセットグループを選択できる。あるいは、同時送信と同時受信との内の少なくともいずれかに使用できる構成されたアンテナの数をチェックすることにより、移動端末により構成されたアンテナの数を取得することができる。また、構成されたアンテナの数を移動端末にシグナリングして、移動端末がシグナリングされたアンテナの数に基づいて循環シフトセットグループを選択することも考えられる。
【００２９】
この実施形の第２の変形例、または、第２の側面から見た第２の変形例によれば、移動端末により決定される送信ランクに基づいて、循環シフトセットグループが決定される。送信ランクの決定のために、移動端末は （例えば、アップリンクスケジューリング許可メッセージによりアクセスノードから） 送信ランクを示す信号を受信でき、その受信信号を評価して、送信ランクを決定できる。あるいは、送信ランクは送信ランクを（例えば、半統計的に）構成設定された移動端末のメモリから取得することができる。その送信ランクは、１、２、３、４、５、６以上であっても良い。
【００３０】
各循環シフトセットグループは、データ構造の入力パラメータと出力パラメータとの間の関係、即ち、マッピング方式を規定するマッピングテーブルまたは別のデータ構造として実施できる。例えば、循環シフトセットグループは入力パラメータとして複数の異なる循環シフトセットインジケータ値と、データ構造またはマッピングテーブルの出力パラメータとして複数の循環シフトセットとを含み、循環シフトセットインジケータ値に応じて、複数の循環シフトセットの中の異なる循環シフトセットを選択する。
【００３１】
各循環シフトセットグループに含まれる複数の循環シフトセットから循環シフトセットの選択に使用する循環シフトセットインジケータは３以上のビット、例えば、４、５または６ビットのような複数ビットを含むビットフィールドであると良い。
【００３２】
一つの実施例では、１つの循環シフトセットグループの複数循環シフトセットそれぞれは同じ数のパラメータを含んでいても良い。この実施形では、異なる循環シフトセットグループの循環シフトセットは異なる数のパラメータを含んでいても良い。循環シフトセットグループの選択のためには、選択するグループの各循環シフトセットに含むパラメータの数が決定された送信ランクと移動端末の構成されたアンテナの数との内の少なくとも１つと同じであるようにグループを選択するであろう。循環シフトセットグループの循環シフトセットそれぞれのパラメータ数は、１、２、３、４、５、６またはそれ以上であっても良い。
【００３３】
例えば、第２の側面からすれば、第１の循環シフトセットグループは１つのパラメータを含む循環シフトセットのみを含み、第２の循環シフトセットグループは２つのパラメータを含む循環シフトセットのみを含み、第３の循環シフトセットグループは３つのパラメータを含む循環シフトセットのみを含む。この複数の循環シフトセットグループは追加してさらなる循環シフトセットグループ、例えば、４つのパラメータを含む循環シフトセットのみを含む第４の循環シフトセットグループを含むかもしれない。あるいは、第１の側面と第２の側面からすれば、第１の循環シフトセットグループは２つのパラメータを含む循環シフトセットのみを含みことができ、第２の循環シフトセットグループは３つのパラメータを含む循環シフトセットのみを含みことができ、第３の循環シフトセットグループは４つのパラメータを含む循環シフトセットのみを含むことができる。後者の例では、決定された送信ランク、或いは、移動端末の構成されたアンテナの数、或いは、これらの両者、送信ランクと構成されたアンテナの数が２に等しければ、第１の循環シフトセットグループを移動端末により選択するであろう。これに対して、決定された送信ランクと移動端末の構成されたアンテナの数のいずれか、または、両方が３に等しければ、第２の循環シフトセットグループをこの例では選択するであろう。同様に、決定された送信ランクと移動端末の構成されたアンテナの数のいずれか、または、両方が４に等しければ、第３のグループをこの例に従い選択するであろうなどである。
【００３４】
以上概説したように、選択する循環シフトセットは、少なくとも１つのＳＵ−ＭＩＭＯ送信方式レイヤ（第２の側面）の直交基準信号を生成するために、または、少なくとも２つのＳＵ−ＭＩＭＯ送信方式レイヤ（第１の側面）の直交基準信号を生成するために使用される。選択する循環シフトセットに含まれるパラメータは基準信号の生成に使用する。例えば、選択する循環シフトセットに含まれるパラメータのそれぞれを使用し、基準信号を生成する。この文脈からすれば、選択する循環シフトセットの第ｋ番目の位置のパラメータは第ｋ番目のレイヤ、例えば、第ｋ番目のＳＵ−ＭＩＭＯ送信方式レイヤの送信のための移動端末とアクセスノードとの間の伝搬チャネルの推定に使用すべき基準信号の生成に使用できる。
【００３５】
第３の側面から見れば、上記の要求はまた、移動端末とセルラ通信ネットワークアクセスノードとの間のシングルユーザ空間多重化で使用される基準信号の生成を制御する方法により満たされる。この方法は、基準信号の生成に使用する循環シフトをそれぞれが示す少なくとも２つのパラメータを含む循環シフトセットを示す循環シフトセットインジケータをアクセスノードから移動端末に送信する工程を有する。
【００３６】
第４の側面から見れば、上記の要求はまた、移動端末とセルラ通信ネットワークアクセスノードとの間のシングルユーザ空間多重化で使用される基準信号の生成を制御する更なる方法により満たされる。この方法は、送信ランクに基づき複数の循環シフトセットグループから循環シフトセットグループの選択を移動端末に可能にする送信ランクをアクセスノードから移動端末に送信する工程と、基準信号の生成に使用する循環シフトをそれぞれが示す少なくとも１つのパラメータを含む複数の循環シフトセットからなる、選択された循環シフトセットグループにおいて循環シフトセットを示す循環シフトセットインジケータをアクセスノードから移動端末に送信する工程とを有する。
【００３７】
さらに、第５の側面から見れば、上記の要求はまた、１つ以上の計算機器、例えば、移動端末またはアクセスノードにおいてコンピュータプログラムを実行する場合、ここで説明されたような１つ以上の方法の工程、及び、方法の特徴を実行するプログラムコードを含むコンピュータプログラムにより満たされる。そのコンピュータプログラムは、計算機器内のまたは計算機器に関連する永久メモリや書換可能メモリまたは取り外し可能ＣＤ−ＲＯＭ、ＤＶＤ、若しくはＵＳＢスティックのようなコンピュータ可読記憶媒体に蓄積できる。さらに若しくは代わって、例えば、インターネットのようなデータネットワークまたは電話回線若しくは無線リンクのような通信回線を介して移動端末またはアクセスノードのような計算機器にダウンロードするコンピュータプログラムを提供できる。
【００３８】
第６の側面から見れば、上記の要求はまた、移動端末とセルラ通信ネットワークアクセスノードとの間のシングルユーザ空間多重化で使用される基準信号を生成する装置により満たされる。この装置は、循環シフトセットインジケータを受信するよう適合された受信部と、受信した循環シフトセットインジケータに基づき、それぞれが循環シフトを示す少なくとも２つのパラメータを各循環シフトセットが含む循環シフトセットを循環シフトセットグループから選択するよう適合された第１のセレクタと、選択する循環シフトセットの少なくとも２つのパラメータに基づいて、同時送信するシングルユーザ空間多重化送信方式の少なくとも２つのレイヤに対する少なくとも２つの直交基準信号を生成するよう適合された生成部とを有する。
【００３９】
第７の側面から見れば、上記の要求はまた、移動端末とセルラ通信ネットワークアクセスノードとの間のシングルユーザ空間多重化で使用される基準信号を生成する更なる装置により満たされる。この装置は、送信ランクと移動端末の構成されたアンテナの数との内の少なくとも１つに基づいて、各々が複数の循環シフトセットを含む循環シフトセットグループを複数の循環シフトセットグループから選択するよう適合された第２のセレクタと、循環シフトセットインジケータを受信するよう適合された受信部と、受信した循環シフトセットインジケータに基づき、それぞれが循環シフトを示す少なくとも１つのパラメータを各循環シフトセットが含む循環シフトセットを選択する循環シフトセットグループから選択するよう適合された第１のセレクタと、選択する循環シフトセットの少なくとも１つのパラメータに基づき同時送信するシングルユーザ空間多重化送信方式の１つ以上のレイヤに対する少なくとも１つの直交基準信号を生成するよう適合された生成部とを有する。
【００４０】
一つの実施形では、第６の側面から見た装置はさらに、送信ランクと移動端末の構成されたアンテナの数との内の少なくとも１つに基づいて、各々が複数の循環シフトセットを含む循環シフトセットグループを複数の循環シフトセットグループから選択するよう適合された第２のセレクタを有すると良い。
【００４１】
この実施形の変形例、或いは、第７の側面から見た変形例によれば、この装置はさらに送信ランクを決定するよう適合された決定部を有すると良い。この実施形の更なる変形例、或いは、第７の側面から見た更なる変形例によれば、この決定部は移動端末の構成されたアンテナの数を決定するよう適合されると良い。
【００４２】
第６或いは第７の側面から見た装置の更なる実施形によれば、この装置やこの装置の上記構成要素はここで概説するような方法を実行するように適合されると良い。
【００４３】
第８の側面から見れば、上記の要求はまた、移動端末とセルラ通信ネットワークアクセスノードとの間のシングルユーザ空間多重化で使用される基準信号の生成を制御するアクセスノードにより満たされる。このアクセスノードは、基準信号の生成に使用される循環シフトをそれぞれが示す少なくとも２つのパラメータを含む循環シフトセットを示す循環シフトセットインジケータを移動端末に送信するよう適合された送信機を有する。
【００４４】
第９の側面から見れば、上記の要求はまた、移動端末とセルラ通信ネットワークアクセスノードとの間のシングルユーザ空間多重化で使用される基準信号の生成を制御する更なるアクセスノードにより満たされる。そのアクセスノードは、送信ランクに基づき複数循環シフトセットグループから循環シフトセットグループの選択を移動端末に可能にする送信ランクを移動端末に送信するようにし、基準信号の生成に使用する循環シフトをそれぞれが示す少なくとも１つのパラメータを含む複数の循環シフトセットからなる、選択された循環シフトセットグループにおいて循環シフトセットを示す循環シフトセットインジケータを移動端末に送信するよう適合された送信機を有する。
【００４５】
次に、添付図面に図示された実施例を参照して本発明についてさらに説明する。
【図面の簡単な説明】
【００４６】
【図１】従来技術による循環シフトセットグループの例を示す図である。
【図２】シングルユーザ空間多重化で使用される基準信号を生成する端末の実施例とシングルユーザ空間多重化で使用される基準信号の生成を制御するアクセスノードの実施例とを含むセルラ通信ネットワークを概略的に示す図である。
【図３ａ】、
【図３ｂ】図２の装置の実施例の種々の動作モードを示すフローチャートである。
【図４ａ】、
【図４ｂ】、
【図４ｃ】図２に示す装置の実施例により使用される複数の循環シフトセットをそれぞれが含む循環シフトセットグループの例を示す図である。
【発明を実施するための形態】
【００４７】
以下の説明では、本発明を制限するためではなく例示するために、詳細なステップシーケンス、構成要素、およびｍ構成のような具体的な詳細について説明し、本発明についての完全な理解を提供する。当業者には、これらの具体的な特徴から逸脱した他の実施例において本発明を実施できることは明らかであろう。例えば、実施例は３ＧＰＰ  ＬＴＥ標準に従って動作するセルラ通信ネットワークと移動端末とに関して説明するが、当業者には他の移動通信標準に従って動作するセルラ通信ネットワークと移動端末による環境においても本発明を実施できることは明らかであろう。
【００４８】
その上、当業者であれば、個別ハードウェア回路を使用し、プログラムされたマイクロプロセッサまたは汎用コンピュータと共に機能するソフトウェアを使用し、アプリケーション専用集積回路（ＡＳＩＣ）と１つ以上のディジタル信号プロセッサ（ＤＳＰ）との内の少なくともいずれかを使用して、ここで以下説明する機能を実施できることをさらに認識するであろう。本発明を方法として説明する場合、本発明はコンピュータプロセッサとプロセッサに接続されたメモリにおいて実施されることも認識されよう。ここで、そのプロセッサにより実行する場合、ここで開示する方法のステップを実行する１つ以上のプログラムによりそのメモリは符号化される。
【００４９】
図２はシングルユーザ空間多重化で使用される基準信号を生成する装置の種々の実施例によるセルラ通信ネットワーク１００を概略的に示している。セルラ通信ネットワーク１００は、３ＧＰＰ  ＬＴＥまたはＬＴＥ−Ａネットワークであり、エアインタフェース３０を介してユーザ機器（ＵＥ）１０として実現される移動端末と通信しようとするｅノードＢまたは基地局（ＢＳ）２０として実現されるアクセスノードを含む。
【００５０】
図２に示す（実線により示す）第１の実施例によれば、ＵＥ１０で実施される基準信号を生成する装置は、受信部１０２と第１のセレクタ１０４と生成部１０８とを含む。受信部１０２は、ＢＳ２０から循環シフトセットインジケータを受信するよう適合される。この実施例では、ＵＥ１０の構成された第１のアンテナ１１０または第２のアンテナ１１２、及び、アンテナ１１０、１１２とに夫々関連する第１の受信機１２０と第２の受信機１２４を介してＢＳ２０から受信部１０２により、循環シフトセットインジケータを（例えば、循環シフトセットインジケータを搬送する信号を受信することにより）受信する。アンテナ１１０、１１２はこの実施例では信号の送受信双方に使用できる。即ち、アンテナ１１０、１１２は通信アンテナとして実装する。受信部１０２により循環シフトセットインジケータの受信後、第１のセレクタ１０４は、循環シフトセットインジケータを受信部１０２から要求することと受信することの内、少なくともいずれかを行うよう適合される。
【００５１】
図２にも示される第２の実施例では、ＵＥ１０で実施される基準信号を生成する装置は第１の実施例に関して上述した構成要素を含むのみならず、図２で破線により概略的に示すように第２のセレクタ１０６をさらに含む。第２のセレクタ１０６は、ＵＥ１０の構成されたアンテナ１１０、１１２の数に基づいて、循環シフトセットグループを複数の循環シフトセットグループから選択するよう適合されている。
【００５２】
図２にも示される第３の実施例では、ＵＥ１０で実施される基準信号を生成する装置は第２の実施例に関して上述した構成要素を含むのみならず、図２で点線により概略的に示すように決定部１１６をさらに含む。決定部１１６は、ＵＥ１０により同時送信するデータ信号レイヤの数である送信ランクを決定するよう適合されている。このため、ＵＥ１０により送信されるデータ信号は、複数のレイヤに符号化され、各レイヤは構成されたアンテナ１１０、１１２の１つから１つの帯域幅スペクトルチャネル内で同時送信される。第３の実施例によれば、第２のセレクタ１０６は、構成されたアンテナ１１０、１１２の数に基づいて循環シフトセットグループを（第２の実施例におけるように）選択するようには適合されておらず、決定部１１６により決定された決定送信ランクに基づいて循環シフトセットグループを選択するように適合されている。
【００５３】
次に、図２に示す基準信号を生成する装置の種々の実施例の動作を、図１と図４ａ〜図４ｃとに示されるように循環シフトセットグループの代表的な実施形と組み合わせて図３ａ〜図３ｂのフローチャートを参照して、幾らかより詳細にまとめて説明する。
【００５４】
図３ａ〜図３ｂは、図２の基準信号を生成する装置の種々の実施例によりＵＥ１０とセルラ通信ネットワーク１００のＢＳ２０との間のシングルユーザ空間多重化で（例えば、ＭＩＭＯで）使用される基準信号を生成する方法を示すフローチャートを示す。
【００５５】
図３ａ〜図３ｂで実線により示すように、図３ａのステップ３０６〜ステップ３１２と図３ｂのステップ４０６〜ステップ４１２とは、これもまた実線により図示される図２の装置の第１の実施例に関係する。同様に、（破線により示す）図３ａの追加ステップ３０４は、（破線により示す）第２のセレクタ１０６を追加的に含む図２に示す装置の第２の実施例に関係する。（点線により示す）図３ｂの追加ステップ４０２と４０４は、実線により示す構成要素と破線により示す第２のセレクタ１０６とに加えて、（点線により示す）決定部１１６を含む図２に示す装置の第３の実施例に関係する。
【００５６】
図４ａ〜図４ｃは、循環シフトセットグループを含む代表的なマッピングテーブルを示す。各マッピングテーブルは左列に８つの異なる循環シフトセットインジケータ値と右列に８つの異なる循環シフトセットとを含む。循環シフトセットインジケータは３ビットを含むビットフィールドとして実現される。循環シフトセット数は循環シフトセットインジケータのビット数に従って適合されると良い。例えば、循環シフトセットインジケータとしてｌビットビットフィールドを使用するならば、マッピングテーブルは２lの異なる循環シフトセットを含むであろう。
【００５７】
図４ａ〜図４ｃのマッピングテーブルにおける循環シフトセットグループは３つのマッピングテーブル、即ち、第１のマッピングテーブル（図４ａ）、第２のマッピングテーブル（図４ｂ）、及び、第３のマッピングテーブル（図４ｃ）を含む複数のマッピングテーブルとして実現される代表的な複数の循環シフトセットグループを形成する。マッピングテーブルそれぞれは左列に８つの異なる循環シフトセットインジケータ値と右列に８つの異なる循環シフトセットとを含む。
【００５８】
第１のマッピングテーブルの循環シフトセットそれぞれは、同じ数のパラメータ、現在の代表的な実施形では、２つのパラメータを含む。同様に、第２のマッピングテーブルの循環シフトセットそれぞれは同じ数のパラメータ、現在の代表的な実施形では、３つのパラメータを含み、第３のマッピングテーブルの循環シフトセットそれぞれは、同じ数のパラメータ、現在の代表的な実施形では４つのパラメータを含む。図４ａ〜図４ｃに代表的に示されるように、異なる循環シフトセットグループの循環シフトセットは、異なるパラメータ数を含む。即ち、第１のマッピングテーブルの循環シフトセットは、第２および第３のマッピングテーブルの循環シフトセットとは異なる数のパラメータを含む。さらに、第２のマッピングテーブルの循環シフトセットは第３のマッピングテーブルの循環シフトセットとは異なる数のパラメータを含む。
【００５９】
図３ａに示すフローチャートのステップ３０６〜ステップ３１２は、図２の装置の第１の実施例による基準信号を生成する方法を示す。
【００６０】
図２に示す装置の第１の実施例に関係する方法のステップ３０６〜ステップ３１２の実行前に、図２に示す装置の第２の実施例により実行する方法は、追加的なステップ３０４を含む。ステップ３０４では、第２のセレクタ１０６はＵＥ１０の構成されたアンテナ１１０、１１２の数に基づいて、（図４ａ〜図４ｃに代表的に示されている）複数の循環シフトセットグループから１つの循環シフトセットグループを選択する。図２に代表的に示されているように、構成されたアンテナ１１０、１１２の数は２つに等しい。第２のセレクタ１０６は複数の循環シフトセットグループを検索し、構成されたアンテナ１１０、１１２の数に等しいある数のパラメータを有する循環シフトセットのみを含む特定の循環シフトセットグループを選択する（ステップ３０４）。現在の例では、第２のセレクタ１０６それぞれが循環シフトを示す２つのパラメータを有する循環シフトセットのみを含む特定の循環シフトセットグループを選択する。
【００６１】
上記のようにステップ３０４において、代表的な３つの循環シフトセットグループの１つを選択する場合、選択された循環シフトセットグループの各循環シフトセットに含まれるパラメータの数がＵＥ１０の構成されたアンテナ１１０、１１２の数に等しいように循環シフトセットグループを選択する（ステップ３０４）。図２に図示する現在の例におけるように、ＵＥ１０が２つの構成されたアンテナ１１０、１１２を含むならば、２つの構成されたアンテナの数は第１の循環シフトセットグループに含まれる循環シフトセットそれぞれのパラメータの数に等しいので、第２のセレクタ１０６は、図４ａに示されるように、第１の循環シフトセットグループを選択する。アンテナ１１０とアンテナ１１２との間に描かれた点々により図２には例示されているように、ＵＥ１０はまた、３または４つの構成されたアンテナのように、３つ以上の構成されたアンテナ１１０、１１２を有することもある。第１の場合（構成されたアンテナ数が３つである場合）には、図４ｂに示されるように、第２のセレクタ１０６は３つのパラメータを含む循環シフトセットのみを有する第２の循環シフトセットグループを選択する一方、後者の場合（送信ランクが４である場合）、図４ｃに示されるように、第２のセレクタ１０６は４つのパラメータを含む循環シフトセットのみを有する第３の循環シフトセットグループを選択するであろう。
【００６２】
図２に示す装置の第１の実施例と第２の実施例に関係する両方の方法で実行されるステップ３０６で、ＢＳ２０はエアインタフェース３０を介してＵＥ１０に循環シフトセットインジケータを送信する。受信部１０２はＢＳ２０から循環シフトセットインジケータを受信し（ステップ３０８）、第１のセレクタ１０４は第２のセレクタ１０６によりステップ３０４で以前に選択した循環シフトセットグループを検索する。
【００６３】
第１のセレクタ１０４は受信した循環シフトセットインジケータを考慮することにより以前に選択した循環シフトセットグループを検索し、受信した循環シフトセットインジケータに基づいて選択した循環シフトセットグループに含まれる複数の循環シフトセットから特定の循環シフトセットを選択する（ステップ３１０）。図４ａ〜図４ｃには代表的に示されているように、（左列の）異なる循環シフトセットインジケータ値それぞれは、（右列の）特定の循環シフトセットと関連し、第１のセレクタ１０４は受信した循環シフトセットインジケータ値と関連する循環シフトセットを選択するよう適合されている。
【００６４】
例えば、図４ａに示す第１の循環シフトセットグループをステップ３０４で第２のセレクタ１０６により選択したならば、第１のセレクタ１０４は受信した循環シフトセットインジケータを考慮することにより、この実施形では３ビットを含むビットフィールドである第１の循環シフトセットグループを選択する。第１のセレクタ１０４は受信した循環シフトセットインジケータ値と関連する第１の循環シフトセットグループの特定の循環シフトセットを選択する。例えば、ビットフィールド［０００］を循環シフトセットインジケータ値として受信したならば、第１のセレクタ１０４は循環シフトセット｛０、６｝を選択するであろう。あるいは受信した循環シフトセットインジケータが［００１］であれば、循環シフトセット｛１、７｝を選択するであろう等である。
【００６５】
第２または第３の循環シフトセットグループがステップ３０４において第２のセレクタ１０６により以前に選択されたたならば、第１のセレクタ１０４は受信した循環シフトセットインジケータを考慮することにより、第２のまたは第３のグループのみをそれぞれ、検索するであろう。第２のセレクタ１０６により第２のグループを選択し、受信した循環シフトセットが［０１１］である場合、第１のセレクタは循環シフトセットとして｛３、７、１１｝を選択するであろう。しかしながら、第３のグループを第２のセレクタ１０６により選択し、受信した循環シフトセットインジケータが［１０１］に一致すれば、第１のセレクタ１０４は第３の循環シフトセットグループから循環シフトセット｛２、４、７、９｝を選択するであろう。
【００６６】
ステップ３１０における循環シフトセットの選択後、生成部１０８は選択された循環シフトセットまたは選択された循環シフトセットに含まれるパラメータを要求するか、或いは、受信し、選択された循環シフトセットまたは選択された循環シフトセットに含まれるパラメータに基づいて、直交基準信号を生成する（ステップ３１２）。例えば、選択された循環シフトセットが２つのパラメータを含めば、生成部は２つのパラメータの一方に基づいて第１の基準信号を生成するであろうし、２つのパラメータの他方に基づいて第１の基準信号に直交する第２の基準信号を生成するであろう。
【００６７】
以上概説したように、生成部１０８は第１のセレクタ１０４から選択した循環シフトセットを受信し、同時送信する、例えば、ＳＵ−ＭＩＭＯ送信方式の２つ以上のレイヤに対する直交基準信号を生成する。例えば、選択された循環シフトセットが２つのパラメータ｛１｝および｛７｝を含む｛１、７｝であれば、生成部１０８は選択された循環シフトセットの２つのパラメータ｛１｝および｛７｝を使用して２つの直交基準信号を生成するであろう。基準信号の生成のために、生成部１０８はまず、式（２）を使用して、生成する基準信号それぞれの循環シフトパラメータｎcsを計算する。この式により、式（２）の入力値ｎ(2)DMRSとして選択された循環シフトセットの第１のパラメータ（｛１、７｝の選択された循環シフトセットの場合、第１のパラメータは｛１｝であろう）を使用して、第１の基準信号を生成するための第１の循環シフトパラメータｎcsを決定する。式（２）の更なるパラメータｎ(1)DMRSとｎPRBSとは、セル固有のパラメータである。ここで、ｎPRBSは、異なるセルにおいて循環シフトをランダム化するための、疑似ランダムパラメータである。
【００６８】
第１の循環シフトパラメータｎcsの計算後、式（１）と第１の循環シフトパラメータｎcsとを使用して、生成部１０８は第１の基準信号を生成する。第２の循環シフトパラメータｎcsの計算のため、入力値ｎ(2)DMRSとして第２の選択された循環シフトセット値、現在の例では｛７｝により、式（２）が用いられる。次いで、式（１）と式（１）の入力値の１つとして第２の循環シフトパラメータｎcsの計算値とを用いて、第２の基準信号を計算する。
【００６９】
この例では、選択された循環シフトセットの第１のパラメータが生成部１０８により使用されて、ＳＵ−ＭＩＭＯ送信方式の第１のレイヤを送信する構成されたアンテナ１１０、１１２から送信される基準信号を生成する。同様に、選択された循環シフトセットの第２のパラメータが使用されて、ＳＵ−ＭＩＭＯ送信方式の第２のレイヤを送信する構成されたアンテナ１１０、１１２から送信される基準信号を生成する。即ち、選択された循環シフトセットの第ｋ番目の位置のパラメータを使用してＳＵ−ＭＩＭＯ送信方式の第ｋ番目のレイヤを送信するこれら構成されたアンテナ１１０、１１２から使用される伝搬チャネルの推定のために使用されるべき基準信号を生成する。あるいは、第１のパラメータを第２の基準信号の生成に使用でき、第２のパラメータを第１の基準信号の生成に使用できる。
【００７０】
図２に示す装置の実施例による基準信号を生成する別の代表的な方法について図３ｂのフローチャートを参照して説明する。図２に示した装置の第１の実施例に関係する方法に従うステップ４０６〜ステップ４１２を実行する前に、図２の装置の第３の実施例により実行される方法は、追加的なステップ４０２とステップ４０４とを含む。図３ｂのステップ４０６〜ステップ４１２は図３ａのステップ３０６〜ステップ３１２に対応する。
【００７１】
図３ｂに図示された方法では、ＵＥ１０の構成されたアンテナ１１０，１１２の数に基づいて循環シフトセットグループを選択すること（ステップ３０４）に代わり、第２のセレクタ１０６は各循環シフトセットグループの循環シフトセットに含まれるパラメータの数を送信ランクと比較することにより、循環シフトセットグループを選択する（ステップ４０４）。この方法によれば、第２のセレクタ１０６は、送信ランクが２に等しければ第１のグループを選択し、送信ランクが３に等しければ第２のグループを選択し、送信ランクが４に等しければ第３のグループを選択する。
【００７２】
以上概説したように、ステップ４０６〜ステップ４１２に加えて、ステップ４０２とステップ４０４が図２の装置の第３の実施例により実行される。ステップ４０２で、決定部１１６は、アップリンクスケジューリング許可メッセージによりＢＳ２０から送信ランクを示す信号を受信することにより、送信ランクを決定する。あるいは、送信ランクを半統計的に構成設定されたＵＥ１０のメモリ１１４から送信ランクを取得することができる。
【００７３】
ステップ４０２で送信ランクを決定した後、ステップ４０２の決定部１１６により決定された決定送信ランクに基づいて、第２のセレクタ１０６はステップ４０４で（図４ａ〜図４ｃに代表的に示されている）複数の循環シフトセットグループから循環シフトセットグループを選択する。第２のセレクタ１０６は指示される送信ランクに対応する特定のパラメータの数を有する循環シフトセットを含む特定の循環シフトセットグループを選択する。
【００７４】
ステップ４０４で代表的な３つの循環シフトセットグループの１つを選択する場合、選択する循環シフトセットグループの各循環シフトセットに含まれるパラメータの数が決定された送信ランクに等しいように循環シフトセットグループが選択される（ステップ４０４）。例えば、“２”の送信ランクが決定部１１６により決定されれば、決定された“２”の送信ランクは第１の循環シフトセットグループの循環シフトセットそれぞれに含まれるパラメータの数に等しいので、第２のセレクタ１０６は図４ａに示される第１の循環シフトセットグループを選択する。しかしながら、“３”の送信ランクが決定されれば、第２のセレクタ１０６は３つのパラメータを含む循環シフトセットのみを有する図４ｂに示される第２の循環シフトセットグループを選択する一方、“４”の送信ランクに決定される場合、第２のセレクタ１０６は４つのパラメータを含む循環シフトセットのみを有する図４ｃに示される第３の循環シフトセットグループを選択するであろう。
【００７５】
その後、ステップ３０６〜ステップ３１２に関して以上で説明したようにステップ４０６〜ステップ４１２を実行し、決定された送信ランクに基づいて、ステップ４０４で選択した循環シフトセットグループから循環シフトセットを選択する。
【００７６】
ステップ４０６では、ＢＳ２０は循環シフトセットインジケータをＵＥ１０に送信する。ＵＥ１０の受信部１０２は、次いでＢＳ２０から循環シフトセットインジケータを受信する（ステップ４０８）。受信部１０２が循環シフトセットインジケータを受信した後、第１のセレクタ１０４は、受信した循環シフトセットインジケータを使用して、選択された循環シフトセットグループから循環シフトセットを選択する（ステップ４１０）。循環シフトセットグループの各循環シフトセットは、それぞれが循環シフトを示す２つ以上のパラメータを有する。
【００７７】
例えば、図４ａに示される第１の循環シフトセットグループをステップ４０４において第２のセレクタ１０６により（決定された“２”の送信ランクの故に）選択したとすれば、第１のセレクタ１０４は、受信した循環シフトセットインジケータを考慮することにより、第１の循環シフトセットグループを検索する。例えば、ビットフィールド［１０１］が循環シフトセットインジケータとして受信されていれば、第１のセレクタ１０４は循環シフトセット｛５、１１｝を選択するであろう。あるいは、受信した循環シフトセットインジケータが［１１１］であれば、循環シフトセット｛６、９｝を選択するであろう等である。
【００７８】
第２または第３の循環シフトセットグループを第２のセレクタ１０６によりステップ４０４で以前に選択したとすれば、第１のセレクタ１０４は受信した循環シフトセットインジケータを考慮することにより、第２または第３のグループのみをそれぞれ検索するであろう。第２のグループを第２のセレクタ１０６により選択しており、受信した循環シフトセットが［１１０］であれば、第１のセレクタは循環シフトセットとして｛４、６、１１｝を選択であろう。しかしながら、第３のグループを第２のセレクタ１０６により選択しており、受信した循環シフトセットインジケータが［１００］に一致すれば、第１のセレクタ１０４は第３の循環シフトセットグループから循環シフトセット｛１、６、８、１１｝を選択するであろう。
【００７９】
次いでステップ４１２では、生成部１０８は同時送信する２つ以上のＳＵ−ＭＩＭＯ送信方式レイヤの２つ以上の直交基準信号を生成する。
【００８０】
例えば、選択された循環シフトセットが２つのパラメータ｛５｝および｛１１｝を含む｛５、１１｝であれば、選択された循環シフトセットの２つのパラメータ｛５｝および｛１１｝を使用して、生成部１０８は２つの直交基準信号を生成するであろう。
【００８１】
図４ａ〜図４ｃから分かるように、ｎ(2)DMRSの幾つかの値は幾つかのセットのメンバであるかもしれない。異なる送信ランクにより、同じ時間−周波数リソースで同時送信する複数の端末がセルにある場合、これはより多くの柔軟性を許容する。
【００８２】
もし、３つのパラメータを含む循環シフトセットが第２のグループから選択されたか（図４ｂ）、または、４つのパラメータを含む循環シフトセットが第３のグループから選択されたとすれば（図４ｃ）、以上概説したのと同様な方法で、式（１）および式（２）を使用して３つまたは４つの基準信号が生成部１０８により生成される。
【００８３】
このようにして、２、３、或いは、４以上の直交基準信号を非常に効率的な方法で生成できる。これは指示される送信ランクまたは構成されたアンテナ数に応じて、例えば、３ビットフィールドである循環シフトセットインジケータが図１に示されたテーブルにおけるように、単一の循環シフトを示すのみならず、２（図４ａ）、３（図４ｂ）、４（図４ｃ）、或いはそれ以上の循環シフトパラメータを含む循環シフトセットのような循環シフトセットを示すことができるからである。さらに図４ａ〜図４ｃに示すテーブルに示すように、幾つかの循環シフトセットは、図１に図示されたマッピングテーブルで使用されないｎ(2)DMRSの値を含むかもしれない。これはまた、シグナリングのオーバヘッドを増やすことなく、循環シフト割り当ての柔軟性を増し加える。
【００８４】
送信ランクまたは構成されたアンテナ数は、単一の循環シフトまたは循環シフトセットの一部のみを決定するのではなく、全基準信号セットの生成に使用する全ての循環シフトパラメータセットを決定するので、シグナリングのオーバヘッドが効率的に軽減される。即ち、複数の直交基準信号の生成のための複数の循環シフトパラメータの決定に必要なシグナリングのオーバヘッドが大きく削減される。
【００８５】
図２の装置の第３の実施例により実行される図３ｂのステップ４０２〜ステップ４１２は、図４ａ〜図４ｃに示したマッピングテーブルにより代表的に実施される複数の循環シフトセットグループに代わり、図１と図４ａ〜図４ｃに示すマッピングテーブルにより代表的に実施される異なる複数の循環シフトセットグループを使用しても良い。この場合、複数の循環シフトセットグループは、循環シフトセットグループとして４つのマッピングテーブル、即ち、第１の循環シフトセットグループとして図１に示すマッピングテーブル、第２の循環シフトセットグループとして図４ａに示すマッピングテーブル、第３の循環シフトセットグループとして図４ｂに示すマッピングテーブル、そして、第４の循環シフトセットグループとして図４ｃに示すマッピングテーブルを含む。図１の第１の循環シフトセットグループに含まれる複数の循環シフトセットそれぞれは、単一のパラメータのみを含む。
【００８６】
複数の循環シフトセットグループとして図１と図４ａ〜図４ｃの４つのマッピングテーブルを使用する場合、“１”に等しい（ステップ４０２で決定した）送信ランクもステップ４０４におけるある循環シフトセットグループの選択に使用できる。このようにして、ＭＵ−ＭＩＭＯに使用する図１のマッピングテーブルは、基準信号の生成に再使用できる。例えば、２以上の送信ランクをステップ４０２で受信するか、または決定すれば、図４ａ〜図４ｃのマッピングテーブルの１つが上記と同じようにして選択されるであろう。“１”の送信ランクを決定する場合のみ、図１に示す追加的なマッピングテーブルが選択されるであろう。従って、上記の利点は、図１と図４ａ〜図４ｃに示す４つのマッピングテーブルを使用する場合にも当てはまる。以上の利点に加えて、図１のマッピングテーブルを再使用できる。
【００８７】
本発明の好適な実施例に関して本発明を説明したが、この説明は例示目的のためのみであることを理解すべきである。従って、本発明はここに添付する請求の範囲のみにより規定されるものであることが意図されている。
【図１】
0005526229.tif 000004
【図２】
0005526229.tif 000005
【図３ａ】
0005526229.tif 000006
【図３ｂ】
0005526229.tif 000007
【図４ａ】
0005526229.tif 000008
【図４ｂ】
0005526229.tif 000009
【図４ｃ】
0005526229.tif 000010